(57)【特許請求の範囲】
【請求項１】
構造体側に取付け可能な構造体側取付け部と、内嵌側の筒状の長尺体カバーの端部と外嵌側の筒状の長尺体カバーの端部との嵌合接続箇所に取付け可能なカバー側取付け部とが備えられているとともに、
前記カバー側取付け部が、前記嵌合接続箇所における長尺体カバーの端部どうしの嵌合面間に差し込み可能で、且つ、その差し込み状態で該嵌合面間に係合する差し込み係合片から構成されている長尺体カバー取付け具。
【請求項２】
前記構造体側取付け部を備えた基板部に対して交差する姿勢で前記差し込み係合片が備えられている請求項１記載の長尺体カバー取付け具。
【請求項３】
前記差し込み係合片の前記嵌合面間への差し込み状態で長尺体カバーの端部どうしの嵌合接続箇所又はそれに連なる部位の外面に当接して該嵌合接続箇所に対する取付け姿勢を所定姿勢に保持する姿勢保持手段が備えられている請求項１又は２記載の長尺体カバー取付け具。
【請求項４】
前記差し込み係合片の前記嵌合面間からの離脱移動を阻止する外れ止め手段が備えられている請求項１〜３のいずれか１項に記載の長尺体カバー取付け具。
【請求項５】
前記外れ止め手段が、外嵌側の前記長尺体カバーの端部の内面に突設された凸部に対する当接により、前記差し込み係合片の前記嵌合面間からの離脱移動を阻止するように、前記差し込み係合片の基端側を遊端とする状態で差し込み係合片に切り起こし形成された弾性変形可能な外れ止め片から構成されている請求項４記載の長尺体カバー取付け具。
【請求項６】
請求項１〜５のいずれか１項に記載の長尺体カバー取付け具用の長尺体カバー装置であって、
一対の前記長尺体カバーのうち、外嵌側の前記長尺体カバーの端縁部には、内嵌側の前記長尺体カバーとの嵌合接続状態において内嵌側の長尺体カバーの端部の外面との間に前記差し込み係合片を差し込むための差し込み口を形成する差し込み口形成用切欠きが形成されている長尺体カバー装置。
【請求項７】
前記差し込み口形成用切欠きが、外嵌側の前記長尺体カバーの端縁部の周方向複数箇所に分散形成されている請求項６記載の長尺体カバー装置。
【発明の詳細な説明】
【技術分野】
【０００１】
本発明は、冷媒管やケーブルや給排水管等の長尺体を筒状の長尺体カバーで被覆した状態で建物内に配設するための技術に関し、特に、壁体やスラブの外面等の構造体に対して長尺体カバーを取付けるための技術に関する。
【背景技術】
【０００２】
この種の長尺体カバーとしては、長尺体配設ルートのストレート部に配される直管型長尺体カバー、長尺体配設ルートのコーナー部に配されるエルボ型長尺体カバー、長尺体配設ルートの合流部や分岐部などに配されるＴ字型等のジョイントカバー、長尺体配設ルートの端末に配される端末カバーなどの各種のものがある。ここで、エルボ型長尺体カバー、ジョイントカバー、端末カバーなどの端部は、直管型長尺体カバーの端部に対して外嵌する状態で嵌合接続可能に構成されている。
【０００３】
そして、これら各種の長尺体カバーを長尺体配設ルートの適所に配して隣接するカバーどうしを接続するとともに、長尺体を支持する状態で構造体側に取付けられた金属製の長尺体支持具に対して長尺体カバーの連設体を取付けることで、長尺体配設ルートの全域に亘って長尺体が多数の長尺体カバーの連設体で被覆された長尺体カバー構造が構成されている。
【０００４】
ところで、従来では、長尺体を支持する状態で構造体側に取付けられた金属製の長尺体支持具に対して長尺体カバーの連設体を取付けるのに、長尺体配設ルートのストレート部に配される各直管型長尺体カバー（内嵌側の長尺体カバーの一例）のみを取付け具で長尺体支持具に取付けていた。
【発明の概要】
【発明が解決しようとする課題】
【０００５】
ところが、上記従来の技術では、エルボ型長尺体カバーやジョイントカバーや端末カバーなどの外嵌側の長尺体カバーが内嵌側の長尺体カバーに対して嵌合接続されているだけであるため、外力が加わった時などにおいて、外嵌側の長尺体カバーがグラついたり、或いは、外嵌側の長尺体カバーが内嵌側の長尺体カバーから外れたりする虞があった。
【０００６】
本発明は、上述の実状に鑑みて為されたものであって、その主たる課題は、外力が加わった時などにおいて、外嵌側の長尺体カバーがグラついたり、或いは、外嵌側の長尺体カバーが内嵌側の長尺体カバーから外れたりするのを効率的に抑止し得る長尺体カバー取付け具、及び、長尺体カバー装置を提供する点にある。
【課題を解決するための手段】
【０００７】
本発明の第１特徴構成は、長尺体カバー取付け具に係り、その特徴は、
構造体側に取付け可能な構造体側取付け部と、内嵌側の筒状の長尺体カバーの端部と外嵌側の筒状の長尺体カバーの端部との嵌合接続箇所に取付け可能なカバー側取付け部とが備えられているとともに、
前記カバー側取付け部が、前記嵌合接続箇所における長尺体カバーの端部どうしの嵌合面間に差し込み可能で、且つ、その差し込み状態で該嵌合面間に係合する差し込み係合片から構成されている点にある。
【０００８】
上記構成によれば、前記構造体側取付け部を構造体側に取付けるとともに、前記カバー側取付け部を前記嵌合接続箇所に取付けることによって、内嵌側の長尺体カバーと外嵌側の長尺体カバーの嵌合接続構造を利用して、内嵌側の長尺体カバーと外嵌側の長尺体カバーを同時に構造体側に取付けることができる。
【０００９】
従って、外力が加わった時などにおいて、外嵌側の長尺体カバーがグラついたり、或いは、外嵌側の長尺体カバーが内嵌側の長尺体カバーから外れたりするのを効率的に抑止することができるとともに、長尺体カバーの取付け構造の簡素化と取付け作業の効率化も図ることができる。
【００１０】
しかも、前記カバー側取付け部を前記嵌合接続箇所における両長尺体カバーの端部どうしの嵌合面間に差し込むだけの簡単な操作で、カバー側取付け部を嵌合接続箇所に取付けることができるから、長尺体カバーの取付け作業の更なる効率化を図ることができる。
【００１１】
本発明の第２特徴構成は、前記構造体側取付け部を備えた基板部に対して交差する姿勢で前記差し込み係合片が備えられている点にある。
【００１２】
つまり、両長尺体カバーの嵌合接続箇所への差し込み方向は長尺体カバーの嵌合接続方向（つまり、長尺体カバーの長手方向）になるが、上記構成によれば、前記構造体側取付け部を備えた基板部に対して交差する姿勢で前記差し込み係合片が備えられているから、カバー側取付け部を嵌合接続箇所に取付けた状態において構造体側取付け部を長尺体カバーの外面から離れた位置に配することができる。
【００１３】
従って、カバー側取付け部を嵌合接続箇所に取付けた状態からの構造体側取付け部の構造体側への取付け作業において長尺体カバーが作業の邪魔になるのを抑止することができ、これにより、長尺体カバーの取付け作業の更なる効率化を図ることができる。
【００１４】
本発明の第３特徴構成は、前記差し込み係合片の前記嵌合面間への差し込み状態で長尺体カバーの端部どうしの嵌合接続箇所又はそれに連なる部位の外面に当接して該嵌合接続箇所に対する取付け姿勢を所定姿勢に保持する姿勢保持手段が備えられている点にある。
【００１５】
上記構成によれば、前記姿勢保持手段によって、該嵌合接続箇所に対する取付け姿勢が所定姿勢に保持されるから、構造体側取付け部が構造体側に取付けられた状態において構造体側に対する長尺体カバーの取付け姿勢を所定の姿勢に保つことができる。
【００１６】
従って、長尺体カバーの取付け姿勢が不安定になるのを抑止することができるとともに、その長尺体カバーの取付け姿勢の不安定化によって差し込み係合片が長尺体カバーの嵌合接続箇所から外れることも抑止することができる。
【００１７】
本発明の第４特徴構成は、前記差し込み係合片の前記嵌合面間からの離脱移動を阻止する外れ止め手段が備えられている点にある。
【００１８】
上記構成によれば、前記外れ止め手段によって前記差し込み係合片の前記嵌合面間からの離脱移動が阻止されるから、差し込み係合片が前記嵌合面間から外れる不具合を防止することができる。
【００１９】
本発明の第５特徴構成は、前記外れ止め手段が、外嵌側の前記長尺体カバーの端部の内面に突設された凸部に対する当接により、前記差し込み係合片の前記嵌合面間からの離脱移動を阻止するように、前記差し込み係合片の基端側を遊端とする状態で差し込み係合片に切り起こし形成された弾性変形可能な外れ止め片から構成されている点にある。
【００２０】
上記構成によれば、前記差し込み係合片を前記嵌合面間に差し込むときには、その差し込み係合片の嵌合面間への進入に連れて遊端側が差し込み係合片側に近接移動するように弾性変形して、差し込み係合片の嵌合面間への差し込み移動を許すことができる。
【００２１】
そして、差し込み移動後には遊端側が差し込み係合片とは反対側に移動するように弾性復元変形して起き姿勢となって、外嵌側の前記長尺体カバーの端部の内面に突設された凸部に対する当接により前記差し込み係合片の前記嵌合面間からの離脱移動を阻止することができる。
【００２２】
従って、差し込み係合片が前記嵌合面間から外れる不具合をシンプルな構造でもって効果的に防止することができる。
【００２３】
本発明の第６特徴構成は、第１〜５特徴構成のいずれかの長尺体カバー取付け具用の長尺体カバー装置であって、
一対の前記長尺体カバーのうち、外嵌側の前記長尺体カバーの端縁部には、内嵌側の前記長尺体カバーとの嵌合接続状態において内嵌側の長尺体カバーの端部の外面部との間に前記差し込み係合片を差し込むための差し込み口を形成する差し込み口形成用切欠きが形成されている点にある。
【００２４】
上記構成によれば、両長尺体カバーの嵌合接続状態において前記差し込み係合片を差し込むための差し込み口が形成されるから、前記差し込み口の開口縁によって前記差し込み係合片を挿入案内することができるとともに、差し込み係合片が差し込み口に差し込まれた状態から移動したり姿勢が変更したりするのも抑止することができる。
【００２５】
また、例えば、差し込み係合片が長尺体カバーよりも強度の優れた素材から構成されている場合において、差し込み口の厚み分（すなわち、差し込み口形成用切欠きの深さ分）だけ差し込み係合片の厚み寸法を大きくすることで、カバー側取付け部と前記嵌合接続箇所との取付け強度を高めることもできる。
【００２６】
本発明の第７特徴構成は、前記差し込み口形成用切欠きが、外嵌側の前記長尺体カバーの端縁部の周方向複数箇所に分散形成されている点にある。
【００２７】
上記構成によれば、周方向複数箇所の差し込み口形成用切欠きにより現出される周方向複数箇所の差し込み口に選択的に差し込み係合片を係合させることができるから、前記嵌合接続箇所の位置や姿勢などに応じて、作業効率や取付け強度等の面から好適な差し込み口に差し込み係合片を係合させることができる。
【図面の簡単な説明】
【００２８】
【図１】配管カバー構造の一部を示す説明図
【図２】配管カバー構造の要部の横断面図
【図３】配管カバー構造の要部の横断面図
【図４】配管カバー構造の要部の縦断面図
【図５】（ａ）配管カバー取付け具の正面側斜視図、（ｂ）配管カバー取付け具の背面側斜視図
【図６】（ａ）配管カバー取付け具と配管カバーとの取付け構造を示す正面側斜視図、（ｂ）配管カバー取付け具と配管カバーとの取付け構造を示す背面側斜視図
【図７】配管カバー取付け具と配管カバーとの取付け構造を示す拡大縦断面図
【図８】配管カバー構造の施工方法を示す説明図
【図９】配管カバー構造の施工方法を示す説明図
【図１０】配管カバー構造の施工方法を示す説明図
【発明を実施するための形態】
【００２９】
図１〜図３は、冷媒管やドレンホース等の配管（長尺体の一例）Ｐを被覆する複数種の合成樹脂製の配管カバー（長尺体カバーの一例）を壁面Ｗ（構造体側の被取付け部の一例）に沿う配管類配設ルートに沿って配設した配管カバー構造の一部を示す。
【００３０】
１は配管Ｐを壁面Ｗに取付ける金属製の配管支持具（長尺体支持具の一例）、２は配管配設ルートのストレート部で配管Ｐを被覆する直管型配管カバー（内嵌側の配管カバーの一例）、３は配管配設ルートのコーナー部で配管Ｐを被覆するエルボ型配管カバー（外嵌側の配管カバーの一例）である。
【００３１】
前記直管型配管カバー２どうしは、合成樹脂製の筒状の第一配管カバー取付け具４を介して接続された状態で、第一配管カバー取付け具４を介して壁面Ｗ側の配管支持具１に取付けられている。
【００３２】
一方、前記直管型配管カバー２とエルボ型配管カバー３は、エルボ型配管カバー３の端部と直管型配管カバー２の端部との嵌合によって接続されているとともに、当該エルボ型配管カバー３の両端二箇所の嵌合接続箇所のうちの一方が、嵌合接続箇所用の金属製の第二配管カバー取付け具６（本発明に係る長尺体カバー取付け具の一例）を介して壁面Ｗ側の金属製の固定具５に取付けられている。
【００３３】
前記直管型配管カバー２は、径方向で二つ（複数の一例）に分割した半割筒状の一対の分割カバー体２Ａ、２Ｂから構成されていて、配管支持具１により壁面Ｗに取付けた配管Ｐを包み込むように両分割カバー体２Ａ、２Ｂを係着することで、配管Ｐを被覆する状態で配設し得るように構成されている。
【００３４】
前記配管支持具１は、図１〜図２に示すように、配管Ｐを支持する環状の支持部を備えた支持部材７と、壁面Ｗに対する取付け部材８とを着脱自在に連設して構成されている。
【００３５】
前記支持部材７は、前記支持部を構成するための半円状の配管受け板部を有した屈曲形状の２枚の帯板部材７ａを、ヒンジ部７ｂを介して揺動自在に連結して構成されている。両帯板部材７ａの遊端側には、前記取付け部材８の後述する被連結板部８ｂに対してボルトやナット等の固定手段１５で固定連結するための挿通孔（図示しない）を備えた連結板部７ｃが備えられている。
【００３６】
前記取付け部材８は、壁面Ｗに対してボルトやビス等の固定手段１６で固定するための矩形板状の取付け板部８ａ（取付け部の一例）と、該取付け板部８ａの長手方向中間部に突設された被連結板部８ｂとを備えたＴ字状金具から構成されている。
【００３７】
前記取付け板部８ａの長手方向の両端側には、ボルトやナット等の固定手段１６で壁面Ｗに固定するための挿通孔８ｃが形成されているとともに、前記被連結板部８ｂには、前記固定手段１５で支持部材７の連結板部７ｃに固定連結するための挿通孔（図示しない）が形成されている。
【００３８】
つまり、この配管支持具１は、前記取付け部材８の取付け板部８ａを固定手段１６により壁面Ｗに固定し、且つ、支持部材７の前記両帯板部材７ａ間に配管Ｐを配置した状態で、前記ヒンジ部７ｂ周りに前記両帯板部材７ａを互いが近接する方向に揺動させて両帯板部材７ａの連結板部７ｃの各々を前記取付け部材８の被連結板部８ｂに固定手段１５で連結することにより、配管Ｐを壁面Ｗに取付ける。
【００３９】
前記第一配管カバー取付け具４は、前記配管支持具１に外装するための支持具装着部４Ａを軸芯方向中間部に備え、且つ、前記配管支持具１の両脇で配管Ｐを被覆する直管型配管カバー２の端部に外装するためのカバー装着部４Ｂを軸芯方向両端部に備えた筒状に構成されている。
【００４０】
図２に示すように、前記取付け具側装着部４Ａの内面部の周方向に間隔を空けた４箇所（複数箇所の一例）には、配管支持具１の支持部の外周部に先端側が当接して該支持部を所定位置に保持するための弾性変形可能な位置保持片部４ａが突設されている。
【００４１】
また、前記支持具装着部４Ａには、配管支持具１に装着した状態において配管支持具１の取付け板部８ａを外部に位置させるように取付け板部８ａに連なる部位を挿通させる挿通部４ｂが形成されている。
【００４２】
そして、第一配管カバー取付け具４は、壁面Ｗに取付けた状態の前記配管支持具１とそれの両側に配置した直管型配管カバーに対して装着操作が可能なように、径方向における相対近接操作で筒状に組付可能で、且つ、ビス等の固定手段（図示しない）で固定可能な一対の半割筒状の第１、第２分割カバー体９Ａ、９Ｂから構成されている。
【００４３】
図３、図４、図８に示すように、前記エルボ型配管カバー３は、径方向で二つ（複数の一例）に分割した半割筒状の一対の分割カバー体３Ａ、３Ｂから構成されていて、配管Ｐを包み込むように両分割カバー体を係着したのち、ビス等の固定手段（図示しない）で両分割カバー体３Ａ、３Ｂを固定することにより、配管Ｐを被覆する状態で配設し得るように構成されている。
【００４４】
前記エルボ型配管カバー３の端縁部の内面には、内嵌状態で接続された直管型配管カバー２の端部の外面に接当又は近接する第一リブ３ａ（凸部の一例）がエルボ型配管カバー３の開口端縁を形成する状態で一体形成されている。
【００４５】
当該第一リブ３ａの延設方向（すなわち、エルボ型配管カバー３の周方向）の複数箇所（具体的には上下左右の４箇所）には、両配管カバー２、３の嵌合接続状態で後述する第二配管カバー取付け具６の差し込み係合片６Ｂの差し込み口Ａを形成するための差し込み口形成用切欠き３ｂが形成されている。
【００４６】
また、エルボ型配管カバー３の端部の内面には、円周方向の複数箇所において前記第一リブ３ａとＴ字状に直交する状態で直管型配管カバー２の端部の外面に接当又は近接するガタツキ防止用の第二リブ３ｃと、直管型配管カバー２の端面と筒軸芯方向から当接して当該直管型配管カバー２の最大接続深さを規制する嵌合深さ規制用の第三リブ３ｄが形成されている。
【００４７】
図３、図１０に示すように、前記固定具５は、壁面Ｗ用の矩形板状の取付け板部５ａ（取付け部の一例）と、該取付け板部５ａの長手方向中間部に突設された第二配管カバー取付け具用の被取付け板部５ｂとを備えたＴ字状金具から構成されている。
【００４８】
当該取付け板部５ａには、壁面Ｗに対してボルトやビス等の固定手段１７で固定するための取付け孔５ｄが形成されているとともに、被取付け板部５ｂには、第二配管カバー取付け具６に対してボルト・ナット等の固定手段１８で固定するための被取付け孔５ｅが形成されている。
【００４９】
図５〜図７に示すように、前記第二配管カバー取付け具６には、壁面Ｗ側の前記固定具５に取付け可能な構造体側取付け部１０と、直管型配管カバー２の端部とエルボ型配管カバー３の端部との嵌合接続箇所に差し込まれた状態で該嵌合接続箇所に取付け可能なカバー側取付け部１１とが備えられている。
【００５０】
前記構造体取付け部１０は、矩形板状に構成された基板部６Ａの上半部から構成されている。当該基板部６Ａの上半部には、前記固定具５の被取付け板部５ｂに対して前記固定手段１８で固定連結するための挿通孔６ａが貫通形成されている。
【００５１】
また、前記カバー側取付け部１１は、前記嵌合接続箇所における両配管カバー２、３の端部どうしの嵌合面間に差し込み可能で、且つ、その差し込み状態で該嵌合面間に係合し得るように、基板部６Ａに直交する姿勢（基板部６Ａに交差する姿勢の一例）で基板部６Ａの下端部に突設された差し込み係合片６Ｂから構成されている。
【００５２】
そのため、前記差し込み係合片６Ｂを両配管カバー２、３の嵌合接続箇所に差し込むだけの簡単な操作で前記差し込み係合片６Ｂを両配管カバー２、３の嵌合接続箇所に取付けることができる。
【００５３】
また、前記差し込み係合片６Ｂを前記嵌合接続箇所に取付けた状態で構造体側取付け部１０が両配管カバー２、３の外面から離れた位置に配されるから、前記嵌合接続箇所に取付けた状態からの固定具５に対する取付け作業も容易に行うことができる。
【００５４】
前記差し込み係合片６Ｂは、直管型配管カバー２の端部の外面とエルボ型配管カバー３の端部の内面とで形成される横断面弧状の差し込み口Ａに対応する横断面弧状に湾曲形成されていて、本例では、横断面における内面形状が直管型配管カバー２の端部の外面に沿う形状となる曲率で湾曲形成されている。
【００５５】
そのため、前記差し込み係合片６Ｂの表裏両面の各々を両配管カバー２、３の各々の嵌合面に対して面当接させた安定的な状態で差し込み係合片６Ｂを両配管カバー２、３の嵌合接続箇所に取付けることができる。
【００５６】
また、例えば、直管型配管カバー２の外面を操作ガイド面として該外面に沿わせる状態で移動操作することにより、差し込み係合片６Ｂを嵌合接続箇所の差し込み口Ａに容易に差し込むことができる。
【００５７】
当該第二配管カバー取付け具６には、前記差し込み係合片６Ａの前記嵌合面間からの離脱移動を阻止する外れ止め手段１２と、差し込み係合片６Ａの前記嵌合面間への差し込み状態で両配管カバー２、３の端部どうしの嵌合接続箇所又はそれに連なる部位の外面に当接して該嵌合接続箇所に対する取付け姿勢を所定姿勢に保持する姿勢保持手段１３とが備えられている。
【００５８】
前記外れ止め手段１２は、前記差し込み係合片６Ａの基端寄り部位において、差し込み係合片６Ａの基端側を遊端とする状態で上方側に切り起こし形成された弾性変形可能な左右一対の外れ止め片６ｂから構成されている。
【００５９】
当該外れ止め片６ｂは、差し込み係合片６Ｂの前記嵌合面間への進入に連れて下方側に弾性変形してエルボ型配管カバー３の端部の内面に突設された第一リブ３ａ（凸部の一例）を乗り越え、且つ、第一リブ３ａを乗り越えた後に弾性復元して起き姿勢となる。
【００６０】
つまり、この外れ止め片６ｂは、差し込み係合片６Ｂの前記嵌合面間への差し込み移動を許しながら、差し込み移動後は第一リブ３ａとの当接によって差し込み係合片６Ａの前記嵌合面間からの離脱移動を阻止し得るように構成されている。
【００６１】
前記姿勢保持手段１３は、差し込み係合片６Ｂの差し込み係合状態でエルボ型配管カバー３の端部の外面に接当又は近接するように下端面と差し込み係合片６Ｂの上面部との間にエルボ型配管カバー３の端部の厚み分（端部の厚み分又はそれよりも大なる厚み分の一例）だけ隙間が生じる状態で基板部６Ａの正面側に突設された左右一対の縦姿勢の正面側姿勢保持片６ｅと、差し込み係合片６Ａの差し込み係合状態で直管型配管カバー２の端部の外面に接当又は近接するように下端面が差し込み係合片６Ｂの下端面と面一又は略面一となる状態で基板部６Ａの背面側に突設された左右一対の縦姿勢の背面側姿勢保持片６ｆとから構成されている。
【００６２】
なお、前記正面側姿勢保持片６ｅは、基板部６Ａの左右両側縁から正面側（差し込み係合片側）に突出する状態に折り曲げ形成された側面視Ｌ字状の左右の両側板部６Ｄの下部から構成されている。また、前記背面側姿勢保持片６ｆは、基板部６Ａの左右中間部の二箇所を背面側に切り起こして構成されている。
【００６３】
次に、上述の如く構成された第二配管カバー取付け具６を用いて構造体側に配管カバー２、３を取付ける方法について説明する。
【００６４】
図示しないが、先ず、壁面Ｗの適所に対して配管支持具１を固定手段１６で取付け、且つ、配管支持具１に配管Ｐを支持させた状態で、配管支持具１の両脇において配管Ｐを囲う状態で直管型配管カバーの分割カバー体２Ａ、２Ｂを組付けて直管型配管カバー２を配管Ｐに保持させる。
【００６５】
そして、前記配管支持具１とそれの両脇の直管型配管カバー２の端部とに外装させる状態で配管カバー取付け具４の第１、第２分割カバー体９Ａ、９Ｂを径方向に相対近接移動させて組付けるとともに、その組付け状態で両分割カバー体９Ａ、９Ｂをビス等の固定手段で固定し、両直管型配管カバー２を配管支持具１に取付ける。
【００６６】
次に、図８に示すように、配管配設ルートのコーナー部において配管Ｐを囲う状態でエルボ型配管カバーの分割カバー体３Ａ、３Ｂを組付けてエルボ型配管カバー３を配設するとともに、直管型配管カバー２とエルボ型配管カバー３とを嵌合接続する。
【００６７】
その後、図９、１０に示すように、両配管カバー２、３の嵌合接続箇所における差し込み口Ａ（本例では、エルボ型配管カバー３の厚み寸法が最も大きな上方側に形成された差し込み口Ａ）に対して、第二配管カバー取付け具６の差し込み係合片６Ｂを直管型配管カバー２の外面に沿わせながら差し込んで、第二配管カバー取付け具６を該嵌合接続箇所に取付ける。
【００６８】
そして、壁面Ｗに対して固定具５を固定手段１７で取付けるとともに、該固定具５の被取付け板部５ｂと第二配管カバー取付け具６の構造体側取付け部１０を固定手段１８で固定する。これにより、配管カバー２、３の取付けが完了して配管カバー構造が完成する。
【００６９】
なお、直管状配管カバー２とエルボ型配管カバー３は、第二配管カバー取付け具６用の配管カバー装置（長尺体カバー装置の一例）を構成する。
【００７０】
［その他の実施形態］
（１）前述の実施形態では、外嵌側の長尺体カバーの一例であるエルボ型配管カバー３の端縁部に差し込み口形成用切欠き３ｂを形成する場合を例に示したが、差し込み口形成用切欠き３ｂは必ずしも形成する必要はない。
【００７１】
（２）前述の実施形態では、前記差し込み係合片６Ｂが横断面弧状の湾曲状片に構成されている場合を例に示したが、例えば、配管カバーが横断面角形状等の場合には、横断面直線状の平坦状片に構成する等であってもよい。
【００７２】
（３）前述の実施形態では、前記姿勢保持手段１３が、基板部６Ａの正面側に突設された正面側姿勢保持片６ｅと、基板部６Ａの背面側に突設された背面側姿勢保持片６ｆとから構成されている場合を例に示したが、正面側姿勢保持片６ｅと背面側姿勢保持片６ｆの一方だけから構成されていてもよく、或いは、基板部６Ａに姿勢保持片を形成するのに代えて基板部６Ａの所定位置にエラストマー素材等からなる別部材を配設して構成されていてもよい。
【００７３】
（４）前述の実施形態では、前記外れ止め手段１２が、前記差し込み係合片６Ａに切り起こし形成された外れ止め片６ｂから構成されている場合を例に示したが、例えば、差し込み係合片６Ａを両配管カバー２、３の嵌合面間に差し込んだ状態で配管カバーの外面に引っ掛かる状態に基板部６Ａに形成した掛止片等から構成されていてもよい。
【００７４】
（５）外嵌側の長尺体カバーは、前述の実施形態で示したエルボ型配管カバー３に限らず、例えば、配管配設ルートの合流部や分岐部に配されるＴ字型等のジョイントカバー、配管配設ルートの端末に配される端末カバーなどであってもよく、要するに、内嵌側の長尺体カバーに対して外嵌する状態で嵌合接続可能なものであれば如何なるものであってもよい。
【００７５】
（６）内嵌側の長尺体カバーも、前述の実施形態で示した直管型配管カバー２に限らず、外嵌側の長尺体カバーに対して内嵌する状態で嵌合接続可能なものであれば如何なるものであってもよい。
【符号の説明】
【００７６】
２        内嵌側の長尺体カバー（直管型配管カバー）
３        外嵌側の長尺体カバー（エルボ型配管カバー）
３ａ      凸部（第一リブ）
３ｂ      差し込み口形成用切欠き
６        長尺体カバー取付け具（第二配管カバー取付け具）
６Ａ      基板部
６Ｂ      差し込み係合片
６ｂ      外れ止め片
１０      構造体側取付け部
１１      カバー側取付け部
１２      外れ止め手段
１３      姿勢保持手段
【図１】
0005669194.tif 000002
【図２】
0005669194.tif 000003
【図３】
0005669194.tif 000004
【図４】
0005669194.tif 000005
【図５】
0005669194.tif 000006
【図６】
0005669194.tif 000007
【図７】
0005669194.tif 000008
【図８】
0005669194.tif 000009
【図９】
0005669194.tif 000010
【図１０】
0005669194.tif 000011